(57)【要約】【課題】電気ボックスに対する水の入り込みを抑えることにより、防水性を高めることを目的とする。【解決手段】一面が開放口として開放するケース本体２００と、前記ケース本体の周壁の一部に形成された切り欠き部２２０と、前記切り欠き部に形成された差込溝２２５と、前記差込溝２２５の溝端に形成された受け入れ口２２８と、前記切り欠き部２２０に取り付けられて、前記ケース本体２００と共に概ね箱型の収容体を構成する電気接続箱１０と、前記電気接続箱１０の外周壁に設けられ、前記受け入れ口より差込溝に挿通される第一フランジＦと、前記第一フランジＦの挿通方向の終端部に形成され、前記受け入れ口を閉止する閉止板４３と、前記開放口を閉止する閉止カバー３００と、を備える。【選択図】図１２
2010045916.tif 000002
【特許請求の範囲】
【請求項１】
一面が開放口として開放するケース本体と、
前記ケース本体の周壁の一部に形成された切り欠き部と、
前記切り欠き部に形成された差込溝と、
前記差込溝の溝端に形成された受け入れ口と、
前記切り欠き部に取り付けられて、前記ケース本体と共に概ね箱型の収容体を構成する電気接続箱と、
前記電気接続箱の外周壁に設けられ、前記受け入れ口より差込溝に挿通される第一フランジと、
前記第一フランジの挿通方向の終端部に形成され、前記受け入れ口を閉止する閉止部と、
前記開放口を閉止する閉止カバーと、を備えた電気ボックス。
【請求項２】
前記電気接続箱の前記外周壁に前記第一フランジと並んで第二フランジを設け、これら両フランジと前記差込溝の溝壁を構成する一対の縦壁とにより、前記フランジと前記縦壁が互い違いに並ぶ迷路構造を構築させるようにしたことを特徴とする請求項１に記載の電気ボックス。
【請求項３】
前記閉止カバーに、前記差込溝の受け入れ口を囲い込む溝カバー部を形成したことを特徴とする請求項１又は請求項２に記載の電気ボックス。
【発明の詳細な説明】
【技術分野】
【０００１】
本発明は、電気ボックスに関する。
【背景技術】
【０００２】
下記特許文献１に開示があるように、リレーボックスを箱型のケース本体と、電気接続箱とから分割構成したものがある。具体的には、箱型のケース本体には、切り欠き部が形成されている。その一方、電気接続箱は切り欠き部の形に倣った形状をしており、電気接続箱を切り欠き部に取り付けることで、切り欠き部が閉止される構成となっている。また、このものでは、切り欠き部の内壁に差込溝が形成され、内壁に相対する電気接続箱側の外周壁にフランジが形成してある。そして、差込溝とフランジの嵌めあいにより、切り欠き部に対する電気接続箱の組み付けを案内する構成となっている。
【特許文献１】特開２００６−１９１７７０公報
【発明の開示】
【発明が解決しようとする課題】
【０００３】
上記したリレーボックスは、車両のエンジンルームに設置されるので、洗車などの際に水が降りかかる。これら降りかかった水が、リレーボックス内に入り込むと、内部に収容してある基板等の電気的性能に影響を及ぼす恐れがある。そのため、リレーボックスに対する水の入り込みを抑える必要があった。
本発明は上記のような事情に基づいて完成されたものであって、電気ボックスに対する水の入り込みを抑えることを、目的とする。
【課題を解決するための手段】
【０００４】
本発明は、一面が開放口として開放するケース本体と、前記ケース本体の周壁の一部に形成された切り欠き部と、前記切り欠き部に形成された差込溝と、前記差込溝の溝端に形成された受け入れ口と、前記切り欠き部に取り付けられて、前記ケース本体と共に概ね箱型の収容体を構成する電気接続箱と、前記電気接続箱の外周壁に設けられ、前記受け入れ口より差込溝に挿通される第一フランジと、前記第一フランジの挿通方向の終端部に形成され、前記受け入れ口を閉止する閉止部と、前記開放口を閉止する閉止カバーと、を備える。このようにしておけば、受け入れ口を通じた水の入り込みを規制できる。
【０００５】
この発明の実施態様として、以下の構成とすることが、好ましい。
・電気接続箱の外周壁に前記第一フランジと並んで第二フランジを設け、これら両フランジと差込溝の溝壁を構成する一対の縦壁とにより、フランジと縦壁が互い違いに並ぶ迷路構造を構築させる。このようにしておけば、水が、差込溝の壁面を断面方向に伝ってゆくとき、収容体に達するまでの沿面距離が長くなる。よって、水が収容体に入り込み難くなる。
【０００６】
・閉止カバーに差込溝の受け入れ口を囲い込む溝カバー部を形成する。このようにしておけば、受け入れ口を通じた水の入り込みを、より一層規制できる。
【発明の効果】
【０００７】
本発明によれば、電気ボックスに対する水の入り込みを抑えることにより、防水性を高めることが可能となる。
【発明を実施するための最良の形態】
【０００８】
以下、本発明を具体化した一実施形態を図１〜図１８を参照して説明する。
１．電気接続箱１０の構成
図１には電気接続箱１０の正面図、図２には電気接続箱１０の平面図、図３には電気接続箱１０の側面図が示されている。電気接続箱１０は、回路基板１５を放熱機能を有するケーシング２０内に収容したものである。そして、ケーシング２０の上部にはヒューズブロック７０及びアッパコネクタ１００が取り付けられ、ケーシング２０の下部にはロアコネクタ５５が取り付けられており、これら各コネクタ５５、１００に対して下から電源、電装品等に連なる各相手側コネクタ１５０が装着される構成となっている。
【０００９】
以下、電気接続箱１０を構成する各部品、すなわち回路基板１５、ケーシング２０、ロアコネクタ５５、ヒューズブロック７０、アッパコネクタ１００の構成を順に説明してゆく。
【００１０】
回路基板１５は、平板状をなすプリント基板の表面側（図４では左側）に電子部品Ｂを実装し、裏面側（図４では右側）に金属板材からなるバスバー（電力用導電路）１６を絶縁性の接着剤を用いて貼り合わせたものである。係る回路基板１５は、図５にて示すように、左側部が対向する縁に向かって傾斜する略５角形をなす。尚、この回路基板１５はゲル状のポッティング剤で被覆されることにより、防水されている。
【００１１】
ケーシング２０は、枠体３０と、金属製の放熱板５０と、カバー６０とを備えている。枠体３０は合成樹脂等の絶縁材料からなる。図５にて示すように、枠体３０は、左側部が対向する縁に向かって傾斜するような略５角形の枠型をしており、その大きさは回路基板１５より一回り大きく設定してある。これにより、回路基板１５を枠体内部に嵌め合わすことが出来る。
【００１２】
枠体３０の上部は、図５、図６にて示すように左右方向に真っ直ぐに延びており、そこには、２つの起立壁３１、３３が、向かい合うように立設されている。これら両起立壁３１、３３は共に、枠体上部の全幅に亘って形成されており、両間に上向きに開放するＵ字型の排水溝３５を形成している（図５〜図７参照）。係る排水溝３５は、図８にて示すように、枠体３０の幅方向の全長に亘って形成されている。この排水溝３５は、左右の溝端がそれぞれ開放しており、枠体３０の幅方向に貫通している。
【００１３】
尚、本実施形態のものは、図６に示すように、排水溝３５の溝壁を構成する両起立壁３１、３３のうち、表面側の起立壁３３であって幅方向の中央には、起立壁３３の内側にせり出すようにして位置決め部３４が形成されている。また、図４に示すように、裏面側の起立壁３１は、上下２段の構成となっており、表側の起立壁３３に対して上段側が上側に突き出ている。この突き出た上段側は、シール壁（詳しくは、後に説明する）３２を構成している。
【００１４】
図５、図６を参照して枠体３０の説明を続けると、枠体上部の表面側には、排水溝３５の左右両端の下方部に位置して、取付座３６Ｒ、３６Ｌが設けられている。左右の取付座３６Ｒ、３６Ｌは、上下方向に長い縦長な形状をなすと共に、その先端面（表側端面）にはねじ孔４９が形成されている。また、両取付座３６Ｒ、３６Ｌは、枠体３０の表面側に突き出ており、起立壁３３との間に段差部３９を形成している。この段差部３９はヒューズブロック７０の下面を受ける機能を担っている。
【００１５】
枠体３０には、右側の取付座３６Ｒの下部に連続して右合わせ壁３７Ｒが形成され、左側の取付座３６Ｌの下部に連続して左合わせ壁３７Ｌが形成されている。これら両合わせ壁３７Ｒ、３７Ｌは一定高さとしてあり、枠体３０の下部に向かって枠体３０の形状に沿って延びている。これら両合わせ壁３７Ｒ、３７Ｌの終端は、枠体３０の下部表面側に形成される締め込み座４５Ｒ、４５Ｌにそれぞれ連続している。
【００１６】
締め込み座４５Ｒ、４５Ｌは一定距離（ロアコネクタ５５の横幅）空けて設けられており、両間に、ロアコネクタ５５を取り付けるためのコネクタ取り付け部４８を形成している。また、これら各締め込み座４５Ｒ、４５Ｌの先端面（表側端面）には、それぞれボス４６が形成されている。
【００１７】
また、枠体３０には、上面壁を除く周囲３方の外周壁に、２つのストレートフランジＦ、Ｈが形成されている。第一ストレートフランジＦは、本発明の第一フランジに相当するものであって、枠体３０の右外周壁に設けられた右フランジＦＲと、左外周壁に設けられた左フランジＦＬと、下外周壁に設けられ左右のフランジＦＲ、ＦＣに連続する下フランジＦＣと、から構成されている。これら各フランジＦＲ、ＦＬ、ＦＣは枠体３０の外周壁から外向きに張り出しており、張り出し高さは概ね一定としてある。図５に示すように、右フランジＦＲと左フランジＦＬは、枠体３０のほぼ全高に亘って形成してあり、両フランジＦＲ、ＦＬは上端の高さ位置がほぼ等しくなっている。これら第一ストレートフランジＦを構成する各フランジＦＲ、ＦＣ、ＦＬは、電気接続箱１０の取り付け先となる相手部品（後述するケース本体２００）に形成される差込溝２２５に挿通される構成となっている。
【００１８】
第二ストレートフランジＨは、本発明の第二フランジに相当するものである。この第二ストレートフランジＨは枠体３０の外周壁上であって、第一ストレートフランジＦから裏面側（図７の右側）に一定距離離間した位置に設けられている。第二ストレートフランジＨは第一ストレートフランジＦと同様に枠体３０の外周壁から外方に張り出している。第二ストレートフランジＨは第一ストレートフランジＦに対して枠体３０の厚み方向（図７の左右方向）で平行な関係としてあり、以下に構成する３つのフランジから構成されている。すなわち、枠体３０の右外周壁において、第一ストレートフランジＦ側の右フランジＦＲに一定距離空けて設けられる右フランジＨＲと、枠体３０の左外周壁において、第一ストレートフランジＦ側の左フランジＦＬに対して一定距離空けて設けられる左フランジＨＬと、枠体３０の下外周壁において、第一ストレートフランジＦ側の下フランジＦＣに対して一定距離空けて設けられる下フランジＨＣと、から構成されている。これら第二ストレートフランジＨを構成する各フランジＨＲ、ＨＣ、ＨＬは、ケース本体２００に形成される差込溝２２５の両縦壁２２６、２２７、及び第一ストレートフランジＦを構成する各フランジＦＲ、ＨＣ、ＨＬと共に、迷路構造（詳細は、図１８を参照して後に説明を行う）を構築するものである。
【００１９】
また、枠体３０には、第一ストレートフランジＦ側の右フランジＦＲと第二ストレートフランジＨ側の右フランジＨＲの双方のフランジＦＲ、ＨＲの上端部同士を、相互に橋渡すようにして、概ね矩形状の閉止板（本発明の「閉止部」に相当）４３Ｒが一体的に形成されている。閉止板４３の横幅寸法Ｄ１は、図５にて示すように、右フランジＦＲの張り出し幅に比べてやや大きめに設定してあり、先端が右フランジＦＲから飛び出ている。また、閉止板４３Ｒの奥行き寸法Ｄ２は、図７にて示すように、右フランジＦＲ、ＨＲの外面間の幅とほぼ等しくなっている。尚、左側の左フランジＦＬ、ＨＬに対しても、これらの上端部同士を橋渡すようにして、右側の閉止板４３Ｒと同様の閉止板（本発明の「閉止部」に相当）４３Ｌが形成されている。
【００２０】
これら左右の閉止板４３Ｒ、４３Ｌは、ケース本体２００に形成される差込溝２２５の受け入れ口２２８を塞いで閉止する機能を担うものである。簡単に説明しておくと、フランジＦＲ、ＨＬは、ケース本体２００側の差込溝２２５に対して上から下に挿通される構成となっており、各閉止板４３Ｒ、４３Ｌが形成されたフランジ上端部は、挿通方向の終端部にあたる。そのため、左右のフランジＦＲ、ＦＣを対応する差込溝２２５にそれぞれ挿通させると、挿通完了と同時に、終端部の閉止板４３Ｒ、４３Ｌが、受け入れ口２２８を上から塞いで、これを閉止するのである。
【００２１】
図４に戻って説明を続けると、放熱板５０は、回路基板１５よりも一回り大きい形状の本体５１と、本体５１の上端縁から裏面側上方へ段差状に延出する板状のブラケット５３とを一体形成したものである。この放熱板５０は枠体３０の裏側（図４の右側）の面に回路基板１５と密着した状態で取り付けられ、回路基板１５に生ずる熱を放熱させる放熱機能と、枠体３０の裏面を閉止する機能を担っている。
【００２２】
カバー６０は合成樹脂製であって、枠体３０の表面側を閉止可能な大きさとされると共に、外周に内向き（図１の紙面奥方）に屈曲する側壁６５Ｒ、６５Ｌを形成している。係るカバー６０は、ヒューズブロック７０とロアコネクタ５５を取り付けた枠体３０の表面に、側壁６５Ｒ、６５Ｌを合わせ壁３７Ｒ、３７Ｌの外側に嵌めあわすように被せ付けられて、枠体３０の表面を閉止する機能を担うものである。
【００２３】
尚、本実施形態では、枠体３０に被せ付けたカバー６０を二重に止めている。第一には、枠体３０の合わせ壁３７Ｒ、３７Ｌに形成されるロック爪３８に、カバー側壁６５Ｒ、６５Ｌのロック受け（不図示）を係止させており、第二には、後述するヒューズブロック７０の取付部８５Ｒ、８５Ｌに、締め付け片６６Ｒ、６６Ｌをねじ止めしている。
【００２４】
尚、このカバー６０の下部には段差部６７が形成されている。段差部６７は、図４にて示すように、カバー６０の他の面より一段高く、ロアコネクタ５５の表面と面一をなす。
【００２５】
このようにカバー下部に段差部６７を設けて、回路基板１５との距離を広く確保してあるのは、ロアコネクタ５５の上壁から引き出される雄型端子５７の配置スペースを確保する必要があるからである。
【００２６】
ロアコネクタ５５は角筒型をなす合成樹脂製のコネクタハウジング５６と、導電性の金属板材をＬ字型に折り曲げた雄型端子５７とを備え、図４に示すように、相手側コネクタ１５０を受け入れる嵌合口５８を下に向けた状態で枠体下部のコネクタ取り付け部４８に取り付けられている。
【００２７】
図４に示すように、雄型端子５７は、コネクタハウジング５６の内部に先端のタブ５７Ａを突出させる一方、後端部は枠体３０の内部に納められた回路基板１５の挿通孔に挿通され、回路基板１５の導電路に半田付けされている。また、ロアコネクタ５５の内壁（図４に示す左側の内壁）には、相手側コネクタ１５０のロックアームを係止させるロック爪５９が形成されている。
【００２８】
ヒューズブロック７０は合成樹脂製であって、図４にて示すように、枠体３０の表面を閉止するカバー６０の上側の位置に取り付けられている。具体的には、枠体３０の表面側を閉止するカバー６０は、上面の位置が図４に示すように、枠体上部の内周に対応する位置にある。そして、カバー６０は、厚みが枠体３０のそれに比べて厚く、枠体３０の端面から図４に示す左側に段差状に突き出ており、その突き出たところに、下面を載せてヒューズブロック７０が取り付けられている。
【００２９】
図９にはヒューズブロック７０の斜視図、図１０にはヒューズブロック７０の正面図、図１１にはヒューズブロック７０の平面図が示されている。これら各図に示すように、ヒューズブロック７０は、幅方向に長いブロック型（枠体の上部とほぼ同じ幅のブロック型）をなす。
【００３０】
係るヒューズブロック７０は、内部に複数のヒューズ室７５を、幅方向に併設させている。各ヒューズ室７５は、区画壁７４によって区画されている。これら各ヒューズ室７５は、上方に開放しており、そこを通じて、各ヒューズ室７５に、ヒューズを収めたり、あるいは収めたヒューズを取り出すことが出来るような構成になっている。
【００３１】
ヒューズブロック７０のうち、左右両壁７６Ｒ、７６Ｌの外側には外板部７７Ｒ、７７Ｌが形成されている。外板部７７Ｒ、７７Ｌは概ね板状をしており、中央下部にロック片７７Ａを突設させている。また、この外板部７７Ｒ、７７Ｌの両側には、下向きに直線的に延びる挿通片７８、７９が形成されている。これら両挿通片７８、７９は、ケース本体２００側の受け入れ溝２４１、２４３と共に、後述するケース本体２００に対する電気接続箱１０の差し込み操作を案内する機能を担っている。
【００３２】
また、ヒューズブロック７０のうち、枠体表面に相対する裏面壁８０には、嵌合片８１Ｒ、８１Ｌが形成されている。嵌合片８１Ｒ、８１Ｌは、図１１に示すように、ヒューズブロック７０の左右両側に形成されている。両嵌合片８１Ｒ、８１Ｌは共に、ヒューズブロック７０の端に向かって延びており、嵌合片８１Ｒは外板部７７Ｒの挿通片７９に連続し、また嵌合片８１Ｌは外板部７７Ｌの挿通片７９に連続している。
【００３３】
そして嵌合片８１Ｒ、８１Ｌは、図１６に示すように断面がＬ字型をしており、枠体３０の排水溝３５に上側から嵌合される構成となっている。また、両嵌合片８１Ｒ、８１Ｌは、両間に一定距離（図２、図１１参照）Ｕを空けてあり、そこに、枠体３０側の位置決め部３４が隙間なく嵌合する構成となっている。このようにしておくことで、枠体３０に対しヒューズブロック７０の左右方向の位置を決めることが可能となる。
【００３４】
また、図１０に示す符号８６Ｌ、８６Ｒは締め付け片である。これら両締め付け片８６Ｒ、８６Ｌは、枠体３０の上部に形成される取付座３６Ｒ、３６Ｌに重ねた状態でねじ止めされる構成となっており、ヒューズブロック７０を枠体３０に固定する固定部としての機能を担っている。
【００３５】
また、図４にて示すように、ヒューズブロック７０の下部には、アッパコネクタ１００が、カバー６０の表面に重ねた状態で、取り付けられている。具体的に説明すると、ヒューズブロック７０の表面側には、フード９０が重ねて形成されている。このフード９０には、弾性ロック片９３が形成されている。その一方、アッパコネクタ１００のコネクタ上部には、取り付け部１１０が形成されている。アッパコネクタ１００は相手側コネクタ（不図示）を嵌合させる嵌合口を下に向けつつ、ヒューズブロック７０のフード９０内に、取り付け部１１０を差し込んでいる。そして、差し込まれた取り付け部１１０に弾性ロック片９３が係止して、これを抜け止めしている。
【００３６】
そして、アッパコネクタ１００の備えるバスバー端子１２０の先端部１２０Ａと、回路基板１５の裏面に貼りあわされたバスバー１６の先端部１７Ａが、ヒューズブロック７０内のヒューズ室７５に引き込まれている。より具体的に説明すれば、回路基板１５の裏面に貼り合わされたバスバー１６の上部は、枠体上部の内周に沿うように水平に折れ曲がり（水平屈曲部１７）つつ、その先端が上方に折れてヒューズ室７５内に引き込まれている。また、同様アッパコネクタ１００の備えるバスバー端子も同様、クランク状に屈曲しており、その屈曲した先端部１２０Ａが、ヒューズ室７５内に引き込まれている。
【００３７】
以上の如く構成された電気接続箱１０は、以下に説明するケース本体２００に対して、縦向き（回路基板１５を上下にした向き）に取り付けられる構成となっている。
【００３８】
２．電気接続箱１０の取り付け先となるケース本体２００の構成
図１２は、ケース本体２００に電気接続箱１０を取り付けた状態を示す斜視図、図１３はケース本体２００の斜視図（カバー非装着状態を示す）である。
【００３９】
ケース本体２００は上面（本発明の「一面」に相当）が開放口として開放する有底の角筒状をしている。このケース本体２００は、底壁がロアカバー２８０として分割されている。すなわち、ロアカバー２８０は、ケース本体２００の底面を閉止可能な大きさに形成されると共に、ケース本体２００に対して下方から取り付けられている。
【００４０】
尚、ケース本体２００に対するロアカバー２８０の固定は、ケース本体２００を構成する周壁２０１、２０２の下部に形成されたロック爪２３８、２３８に、ロアカバー２８０のロック受け２８３が係止することで果たされている。また、以下に行う、ケース本体に関する説明に関し、左側とは図１２に示す紙面の手前側を差し、右側とは図１２に示す紙面の右奥側を差すものとする。
【００４１】
また、図１３にて示すように、ケース本体２００の周壁２０１には、ロック受け部２７０が形成されている。ロック受け部２７０は、閉止カバー（後述）３００に形成されるロック部３５０の相手となるものであり、ロック部３５０と共に、閉止カバー３００をケース本体２００にロックしておく機能を担っている。
【００４２】
また、図１２に示すように、ケース本体２００を構成する各周壁２０１、２０２、２０３、２０４の上端部には、シール壁２１１、２１２、２１３、２１４が形成されている。係るシール壁２１１、２１２、２１３、２１４は、各周壁２０１、２０２、２０３、２０４の上端部を薄肉化したものである。これら各シール壁２１１、２１２、２１３、２１４のうち、周壁２０１、２０２、２０４上に形成されたシール壁２１１、２１２、２１４は、各周壁２０１、２０２、２０４の全域に亘って形成されている。その一方、周壁２０３に形成されたシール壁２１３は、以下に説明する切り欠き部２２０により、左右に分断されている。
【００４３】
切り欠き部２２０は、図１３に示す周壁２０３の一部を下方に切り欠いて形成されている。係る切り欠き部２２０は、電気接続箱１０の外形に倣った形状をしている。この切り欠き部２２０には、向かい合う２枚の縦壁２２６、２２７が形成されている。縦壁２２６、２２７は、切り欠き部２２０のうち、ケース内側にあたる図１３の（ｇ）方向に入り込んだ位置にあって、切り欠き部２２０の底部２２１Ｃと、右壁面２２１Ｒの内側と、左壁面２２１Ｌの内側とに、形成されている（図１４参照）。
【００４４】
これら２枚の縦壁２２６、２２７は、電気接続箱１０に形成される第一ストレートフランジＦを挿通させる差込溝２２５を形成している。差込溝２２５は、電気接続箱１０のフランジＦＣに対応する差込溝２２５Ｃと、右フランジＦＲに対応する差込溝２２５Ｌと、左フランジＦＬに対応する差込溝２２５Ｒとからなる。尚、右フランジＦＲと左差込溝２２５Ｌとが対応し、左フランジＦＬと右差込溝２２５Ｒとが対応しているのは、フランジが形成された電気接続箱１０をケース本体２００に対して放熱板５０が設置された裏面側を外側に向けて組み付けるからである。
【００４５】
２枚の縦壁２２６、２２７は、左右の差込溝２２５Ｒ、２２５Ｌの上端の位置（高さ位置）がほぼ同じ高さとなるように、切り欠き部左側の上端の位置と、切り欠き部右側の上端の位置がほぼ同じ高さとなっている。そして、２枚の縦壁２２６、２２７により形成される左右の差込溝２２５Ｒ、２２５Ｌは、いずれも上面が開放している。この開放する上面は、受け入れ口２２８となっており、上側から電気接続箱１０のフランジＦＲ、ＦＬを受け入れ可能となっている。
【００４６】
また、図１３に示されるように、差込溝２２５Ｌを構成する外側の縦壁２２７の更に外側には、縦壁２２７から一定距離離れて、外郭壁２３５Ｌが形成されている。この外郭壁２３５Ｌは、差込溝２２５Ｌの上部やや下側に形成された座面部２３３を始端として下方に真っ直ぐ延びており、下端は切り欠き部２２０の底に達している。座面部２３３は、ケース本体２００の外面から水平外側に張り出しており、上面は平らな受け面となっている。尚、差込溝Ｒ側にも、溝の下部側に対応させて外郭壁２３５Ｒが形成されている。
【００４７】
また、図１３のＤ部に示すように、ケース本体２００の内部には、切り欠き部２２０の一端（右端）側に対応させて、一対の受け入れ溝２４１、２４３と、両間に位置してロック受け部２４５が形成されている。両受け入れ溝２４１、２４３は、電気接続箱１０に形成された挿通片７８、７９に対応するものであり、係る挿通片７８、７９を上方から受け入れ可能としている。また、ロック受け部２４５は、電気接続箱１０側のロック片７７Ａに対応するものである。尚、これら両受け入れ溝２４１、２４３及びロック受け部２４５は、切り欠き部２２０の他端（図１３中のＣ部）側にも、それと同形のものが形成されている。
【００４８】
以上のことから、ケース本体２００に対して以下の要領に従って、組み付けを行うことで、電気接続箱１０を取り付けできる。すなわち、まず、電気接続箱１０を、各コネクタ５５、１００が取り付けられた表面側をケース本体２００の内側に向けた状態としておく。そして、ケース本体２００の上方にて、切り欠き部２２０の差込溝２２５Ｌに右フランジＦＲの位置合わせ、切り欠き部２２０の差込溝２２５Ｒに、左フランジＦＬの位置を合わせる。そして、位置を合わすことが出来たら、左右の差込溝２２５Ｌ、２２５Ｒに各フランジＦＲ、ＦＬを上から差し込みつつ、電気接続箱１０を切り欠き部２２０に嵌め込んでゆく。
【００４９】
尚、この嵌め込み操作により、第二ストレートフランジ右の左フランジＨＲは、差込溝２２５Ｌ側の縦壁２２７と外郭壁２３５Ｌの間のスペース（図１３参照）Ｕに差し込まれてゆく。また、第二ストレートフランジＨの左フランジＨＬも右フランジＨＲと同じく、差込溝２２５Ｒ側の縦壁２２７と外郭壁２３５Ｒの間のスペースＵに差し込まれてゆく。
【００５０】
そして、嵌め込み操作の終期段階では、ケース本体２００側の受け入れ溝２４１、２４３内に電気接続箱１０の挿通片７８、７９が挿通されてゆく。
【００５１】
その後、電気接続箱１０が図１２に示す装着位置に至ると、装着位置に至った電気接続箱１０により、切り欠き部２２０が閉止された状態となる。そして、この装着位置では、各挿通片７８、７９の上端部（Ｌ字型に曲がった付け根の部分）が各受け入れ溝２４１、２４３の溝上端に突き当たり、更には、電気接続箱１０側のロック片７７Ａがケース本体２００のロック受け部２４５に弾性的に係止する。以上のことから電気接続箱１０はそれ下方への移動には移動できず、かつケース本体２００に抜け止めされた状態になる。
【００５２】
また、装着位置では、切り欠き部２２０の差込溝２２５Ｃに電気接続箱１０側のフランジＦＣの全体が収まり、切り欠き部２２０の差込溝２２５Ｌ内に電気接続箱１０側の右フランジＦＲがその全高に亘って収まり、切り欠き部２２０の差込溝２２５Ｒ内に電気接続箱１０側の左フランジＦＬがその全高に亘って収まる。そして、更に、切り欠き部２２０の各差込溝２２５Ｒ、２２５Ｌの受け入れ口２２８が、閉止板４３Ｒ、４３Ｌによってそれぞれ閉止される。例えば、差込溝２２５Ｌであれば、そこに、挿通される右フランジＦＲの上端部に設けられる閉止板４３Ｒが、差込溝２２５Ｌの溝上面に被さって、開口部分すなわち、受け入れ口２２８を閉止する（図１２のＣ部参照）。
【００５３】
また、装着位置では、ケース本体２００側のシール壁２１３に電気接続箱１０のシール壁３２が整合する。より具体的には、シール壁２１３の側端面にシール壁３２の側端面が突き当たって連続した状態となる。これにより、左右に分断された状態にあったシール壁２１３がシール壁３２と共に一列状に繋がった状態となる。以上のことから、図１２に示すように、全４つのシール壁２１１、２１２、２１３、２１４により、環状のシール縁Ｓが形成される構成となっている。
【００５４】
以上説明したように、ケース本体２００に電気接続箱１０を取り付けると、切り欠き部２２０が閉止されて、概ね箱型の収容体Ｚが形成される。そして、形成された収容体Ｚの内部には、リレー（図示せず）などの各種スイッチが多数個収容された回路基板（図略）が収容してあり、電気接続箱１０側の回路基板１５と共に各種車載電装品の通電、及びその制御を行うことが可能となっている。
【００５５】
次に、閉止カバー３００について説明する。この閉止カバー３００は上記した収容体Ｚと共に、本発明の電気ボックスを構成するものである。閉止カバー３００は合成樹脂製であって、収容体Ｚの上面を閉止可能な大きさの基部３１０と、基部３１０の外周に形成される環状の側壁３３０と、を備える。
【００５６】
閉止カバー３００の側壁３３０は、図１６に示すように、電気接続箱１０の上面に対応する高さ位置で、二股状に分かれている。これら二股に分かれた内壁３４１と外壁３４２は、下向きに開放するＵ字型の受け入れ部３４０を形成している。受け入れ部３４０は閉止カバー３００の全周に亘って形成してあり、形成位置は収容体Ｚ側のシール縁Ｓの形成位置に対応している。そして、受け入れ部３４０には、ゴム製のパッキン３４５が内蔵されている。
【００５７】
また、この閉止カバー３００の側壁３３０には、切り欠き部２２０の差込溝２２５Ｌに対応させて、溝カバー部３７０が設けられている。係る溝カバー部３７０は図１７にて示すように、差込溝２２５Ｌより一回り大きな箱型をしている。この溝カバー部３７０の長さは差込溝２２５Ｌの上部を覆う程度の長さとしてあり、下面側は開放している。そして、開放する下面側より、以下の各部を内部に納めることが出来るようになっている。第一には、差込溝２２５Ｌを構成する両縦壁２２６、２２７の上部を、内部に納めることが出来、第二には、差込溝２２５Ｌに嵌合されるフランジＦＲの上部とフランジＨＲの上部についても、内部に納めることが出来るようになっている。
【００５８】
上記の閉止カバー３００は、収容体Ｚの上側に被せ付けると、閉止カバー３００に形成されたロック部３５０がロック受け部２７０に係止してロックがかかり、収容体Ｚの上面に固定される構成となっている。
【００５９】
そして、閉止カバー３００を収容体Ｚに固定すると、ケース本体２００側のシール壁２１１、２１２、２１３（電気接続箱１０のシール壁３２を含む）、２１４が、閉止カバー３００の受け入れ部３４０に収まり、パッキン３４５に弾設した状態となる（図１５参照）。そのため、収容体Ｚと閉止カバー３００との合わせ部分が、パッキン３４５によって、その全周に亘ってシールされた状態となる。
【００６０】
また、閉止カバー３００を収容体に固定すると、差込溝２２５Ｌを構成する両縦壁２２６、２２７の上部、及びフランジＦＲとフランジＨＲの上部が、閉止カバー３００の溝カバー部３７０内に収まった状態となる。尚、このとき、溝カバー部３７０は、図１７にて示すように座面部２３３に突き当たって、下面を座面部２３３により塞がれた状態となる。
【００６１】
次に、本実施形態の作用効果について説明する。
本実施形態によれば、収容体Ｚと閉止カバー３００との間の合わせには、パッキン３４５が介挿されている。そのため一度、閉止カバー３００によって蓋をしてしまえば、例えば、洗車など行った場合にも、収容体Ｚの内部に水が入り難い。
【００６２】
また、本実施形態によれば、差込溝２２５Ｌ、２２５Ｒの各受け入れ口２２８を、閉止板４３Ｒ、４３Ｌによってそれぞれ閉止する構成としてある。このような構成とすることで、受け入れ口２２８を通じた、収容体Ｚに対する水の入り込みを規制できる。しかも、収容体Ｚのコーナに形成された差込溝２２５Ｌ側については、受け入れ口２２８が設けられた差込溝２２５Ｌの上部一帯を、溝カバー部３７０によって覆う構造となっている。よって、水がより入り込み難い構造となる。
【００６３】
また、本実施形態によれば、図１８に示すように、両ストレートフランジＦ、Ｈと差込溝２２５を構成する両縦壁２２６、２２７は、収容体Ｚの厚み方向において互い違いに並んでおり、迷路構造を構築している。より具体的に言えば、切り欠き部２２０と電気接続箱１０の合わせ部の全周に亘って迷路構造を構築している。このようにしておけば、水が、差込溝２２５の壁面を断面方向に伝って（図１８中の（Ｊ）の経路）ゆくとき、収容体Ｚに達するまでの沿面距離が長くなる。よって、水が収容体Ｚに入り込み難くなる。しかも、差込溝２２５Ｌ側については、これらフランジＦＲ、ＨＲと縦壁２２６、２２７の外側を溝カバー部３７０によって覆う構造となっている。よって、水がより入り込み難い構造となっている。
【００６４】
＜他の実施形態＞
本発明は上記記述及び図面によって説明した実施形態に限定されるものではなく、例えば次のような実施形態も本発明の技術的範囲に含まれる。
【００６５】
（１）本実施形態のものは、切り欠き部２２０に設けられる両差込溝２２５Ｌ、２２Ｒのうち、差込溝２２５Ｌ側についてのみ溝カバー部３７０を設けた例を示したが、差込溝２２５Ｒ側にも溝カバー部３７０を設定してやれば、一層、収容体Ｚに対して水が入り込み難い構造となる。
【００６６】
（２）本実施形態のものは、ケース本体２００の底壁をロアカバー２８０として分割構成したものを例示したが、一体的に形成するものも、無論適用可能である。
【図面の簡単な説明】
【００６７】
【図１】本発明の一実施形態に適用された電気接続箱の正面図
【図２】電気接続箱の平面図
【図３】電気接続箱の側面図
【図４】図１中のＡ−Ａ線断面図
【図５】枠体の正面図
【図６】枠体の斜視図
【図７】枠体の側面図
【図８】枠体の平面図
【図９】ヒューズブロックの斜視図
【図１０】ヒューズブロックの正面図
【図１１】ヒューズブロックの平面図
【図１２】ケース本体に電気接続箱を取り付けた状態を示す斜視図
【図１３】ケース本体２００の斜視図（ロアカバー非装着状態を示す）
【図１４】切り欠き部の構造を示す平面図
【図１５】収容体に閉止カバーを被せた状態を示す斜視図
【図１６】その断面図
【図１７】図１５中のＣ部拡大図（溝カバー部の拡大図）
【図１８】差込溝回りの断面図
【符号の説明】
【００６８】
１０…電気接続箱
１５…回路基板
２０…ケーシング
３０…枠体
４３Ｒ、４３Ｌ…閉止板（本発明の「閉止部」に相当）
５０…放熱板
６０…カバー
７０…ヒューズブロック
２００…ケース本体
２２０…切り欠き部
２２５Ｒ、２２５Ｌ…差込溝
３００…閉止カバー
３７０…溝カバー部
Ｆ…第一ストレートフランジ
ＦＲ、ＦＣ、ＦＬ…フランジ
Ｈ…第二ストレートフランジ
ＨＲ、ＨＣ、ＨＬ…フランジ
Ｚ…収容体
【図１】
2010045916.tif 000003
【図２】
2010045916.tif 000004
【図３】
2010045916.tif 000005
【図４】
2010045916.tif 000006
【図５】
2010045916.tif 000007
【図６】
2010045916.tif 000008
【図７】
2010045916.tif 000009
【図８】
2010045916.tif 000010
【図９】
2010045916.tif 000011
【図１０】
2010045916.tif 000012
【図１１】
2010045916.tif 000013
【図１２】
2010045916.tif 000014
【図１３】
2010045916.tif 000015
【図１４】
2010045916.tif 000016
【図１５】
2010045916.tif 000017
【図１６】
2010045916.tif 000018
【図１７】
2010045916.tif 000019
【図１８】
2010045916.tif 000020